(57)【要約】【課題】ルートカーを洗浄する際に作業足場として使用し、ルートカーの屋根を安全に作業性良く洗浄できるルートカー洗浄用足場装置を提供する。【解決手段】ルートカー洗浄用足場装置１００は、洗浄作業を行う際に作業足場となる足場体と、足場体の脚に取り付けられたキャスターと、足場体に乗り降りするための階段とを備えている。足場体はルートカーに横付けして連結可能であり、且つ、ルートカーの少なくとも全長方向に沿って作業者が歩行可能な足場と、足場の周縁部に設けられた柵とを有する。柵の上端部は手摺になっている。階段の両側にも柵が設けられている。足場体には、ルートカーのルーフトレーに係脱する連結装置１３０が設けられている。【選択図】図２
0003119744.tif 000002
【実用新案登録請求の範囲】
【請求項１】
飲料品を配送・回収するルートカーを洗浄する際に作業足場として使用される足場装置であって、
洗浄作業を行う際に作業足場となる足場体と、
足場体の脚部に取り付けられたキャスターと、
足場体に乗り降りするための階段と、を備え、
前記足場体は、
ルートカーに横付けして連結可能であり、且つ、
ルートカーの少なくとも全長方向に沿って作業者が歩行可能な足場と、
この足場の周縁部に設けられその上端部が手摺になっている柵と、を有することを特徴とするルートカー洗浄用足場装置。
【請求項２】
前記階段の両側にもその上端部が手摺になっている柵が設けられていることを特徴とする請求項１のルートカー洗浄用足場装置。
【請求項３】
前記足場体には、ルートカーの屋根部に係脱する連結装置が設けられている請求項１又は２のルートカー洗浄用足場装置。
【請求項４】
前記足場体には、散水ホースが巻かれたホースリールが搭載されていることを特徴とする請求項１〜３のいずれかのルートカー洗浄用足場装置。
【請求項５】
前記足場体には、ホース接続装置が設けられており、
ホース接続装置には、給水源に接続された給水ホースが接続される入水口と散水ホースが接続される出水口とが設けられており、
給水ホースを通して送られて来る水がホース接続装置を介して散水ホースに供給されるように構成されていることを特徴とする請求項１〜４のいずれかのルートカー洗浄用足場装置。
【請求項６】
前記足場体には、
洗浄用具を保持する用具保持部が設けられていることを特徴とする請求項１〜５のいずれかのルートカー洗浄用足場装置。
【考案の詳細な説明】
【技術分野】
【０００１】
本考案は、飲料品配送・回収用トラック車両を洗浄する際に作業用足場として使用される足場装置に関する。
【背景技術】
【０００２】
コーラやジュースなど清涼飲料は、メーカーから問屋を通して納品される場合と、メーカーやその子会社のボトラー会社と呼ばれる販売専門の会社から直接店や自販機に運ばれる場合とがある。後者の場合、ルートカー、ボトルカー、ベンディングカーなどと呼ばれる専用トラック（本明細書では「ルートカー」と記す。）により商品の配送・回収が行われる。ルートカーは、荷積みして配送センターを出発した後、割り当てられた一定の地域内の小売店や自販機を巡回して配送センターに戻ってくる。配送センターでは、ルートカーが戻ってくる度に、回収されてきた空き瓶や空き缶をルートカーから下ろす作業と荷積み作業とが繰り返される。そして、一日のルートセールス終了後は、ルートカーの洗車が行われる。
【０００３】
配送センターで日々行われるルートカーの洗車は、散水ホースとブラシとを用いた水洗浄によるものである。その際、車両の前後側面は散水ホースで水を掛けつつブラシを使用して汚れを洗い流すことができるが、荷台の屋根は人の背丈よりも高いため台に乗らないと視認できず、またブラシ等も届きにくいため洗浄し難い。
【０００４】
ルートカーの一種には、回収した空き瓶や空き缶を荷台の屋根に載せて搬送できるように、荷台の屋根上にルーフトレーやルーフボックスと呼ばれる回収物積載スペースを備えたものがある。この種のルートカーは、運搬中に空き瓶や空き缶から流れ出た飲料水の成分（糖分など）が排気ガスや道路の粉塵と混ざり合った状態で屋根に付着することになる。このような汚れは水を掛けただけで洗い流すことは困難であり、汚れが付着している部分を視認し、その部分に集中的に水を掛けながらブラシで擦って洗い流す作業を行うことが望ましい。
【０００５】
車両を洗浄する装置として、洗車機能付きカーポート等が知られているが、これらは自家用乗用車を高々一台洗車するための据え付け構造の装置であり、配送センターでのルートカーの洗浄には適さない（特許文献１、２参照）。すなわち、配送センターの洗車場におけるルートカーの駐車位置は一所に正確に決まっているわけではないので、据え付け構造では不便であり、カーポートのような屋根は不要である。むしろ必要なときだけ洗車場のルートカーの場所に移動して洗浄作業を行うことができることが望ましい。
【特許文献１】実開平０５−７８６３号公報
【特許文献２】実開平０５−４９５３３号公報
【考案の開示】
【考案が解決しようとする課題】
【０００６】
本考案は、上記従来技術の問題点に鑑み創案されたものである。本考案が解決しようとする課題は、ルートカーを洗浄する際に作業足場として使用し、ルートカーの屋根を安全に作業性良く洗浄できるルートカー洗浄用足場装置を提供することにある。
【課題を解決するための手段】
【０００７】
（１）本考案のルートカー洗浄用足場装置は、飲料品を配送・回収するルートカーを洗浄する際に作業足場として使用される足場装置である。
【０００８】
足場装置は、洗浄作業を行う際に作業足場となる足場体を備えている。
【０００９】
足場装置は、足場体の脚部に取り付けられたキャスターを備えている。
【００１０】
足場装置は、足場体に乗り降りするための階段を備えている。
【００１１】
足場体は、ルートカーに横付けして連結できるように構成されている。
【００１２】
足場体は、ルートカーの少なくとも全長方向に沿って作業者が歩行可能な足場を有している。
【００１３】
足場の周縁部には、柵が設けられている。
【００１４】
柵の上端部（上縁部）は手摺になっている
（２）階段の両側にもその上端部が手摺になっている柵が設けられていることが望ましい。
（３）足場体には、ルートカーの屋根部に係脱する連結装置が設けられていることが望ましい。
（４）足場体には、散水ホースが巻かれたホースリールが搭載されていることが望ましい。
（５）足場体には、ホース接続装置が設けられており、ホース接続装置には、給水源に接続された給水ホースが接続される入水口と散水ホースが接続される出水口とが設けられており、給水ホースを通して送られて来る水がホース接続装置を介して散水ホースに供給されるように構成されていることが望ましい。
（６）足場体には、洗浄用具（デッキブラシ、ノズル、バケツ、等）を保持する用具保持部が設けられていることが望ましい。
【考案の効果】
【００１５】
本考案のルートカー洗浄用足場装置は、ルートカーを洗浄する際にこれを作業足場として使用することにより、ルートカーの屋根を安全に作業性良く洗浄できる。
【考案を実施するための最良の形態】
【００１６】
以下、本考案を実施するための最良の形態について説明する。
【００１７】
図１に本考案に係るルートカー洗浄用足場装置の実施形態例を示す。図１（ａ）は平面図である。図１（ｂ）は部分側面図である。図１（ｃ）は正面図である。また、図２は図１に示すルートカー洗浄用足場装置の使用状態を例示する概念図である。
【００１８】
先ず、この実施形態のルートカー洗浄用足場装置１００の構成について説明する。
【００１９】
ルートカー洗浄用足場装置１００は、飲料品を配送・回収するルートカーを洗浄する際に作業足場として使用される金属製の足場装置である。
【００２０】
ルートカー洗浄用足場装置（以下、単に「足場装置」と記す。）１００は、洗浄作業を行う際に作業足場となる足場体１１０と、作業者が足場体１１０に乗り降りするための階段１２０とを備えている。
【００２１】
足場体１１０は、図２に示すようにルートカーに横付けして使用される。足場体１１０は、ルートカーの少なくとも全長方向に沿って作業者が歩行可能な足場１１１と、これを支える４本の脚１１２とを有している。各脚１１１の下端には、ストッパー付きキャスター１１３が設けられている。
【００２２】
足場１１１は、細長い長方形の枠１１４と、この枠１１４の長辺部材間に掛け渡して設けられた複数の梁１１５と、これら枠１１４及び梁１１５からなる構造体の上面に設けられた床板１１６とからなる。足場１１１は、脚１１２によりその四隅が支えられて水平姿勢に保たれている。足場１１１の周縁部には柵１１７が設けられており、柵１１７の上端部は手摺１１８になっている。床板１１６にはエキスパンドメタルが使用されている。エキスパンドメタルとは、金属板を千鳥状に切れ目を入れると同時に展開し、ひし形あるいは亀甲状の網目状に加工したものである。
【００２３】
階段１２０は、足場体１１０の前後両端に一体的に連結して設けられている。階段１２０は、相対向する左右一対の側板１２１間に、複数のステップ板１２２を掛け渡して設けてなる。階段１２０の両側にもその上端部が手摺１２４になっている柵１２３が設けられている。
【００２４】
足場体１１０には、ルートカーの屋根部に係脱する連結装置１３０が左右二箇所ずつ設けられている。図３は連結装置１３０の構成を例示している。図３（ａ）は平面図である。図３（ｂ）は正面図である。連結装置１３０は、足場体１１０の柵１１７の柱１１７ａに固定された上下方向に延びる円筒状の支持管１３１と、この支持管１３１に支持されたフック部材１３２とからなる。フック部材１３２は、円筒状の管をＪ字形状に曲げ加工してなる。フック部材１３２は、逆Ｊ字の姿勢で支持管１３１に上方から挿入され、水平方向に回動可能且つ上下に移動可能に支持されている。フック部材１３２の直管部１３２ａすなわち上下方向に長く延びた部分（支持管１３１との摺接部）には、半径方向外方に突出したピン１３３が設けられている。一方、支持管１３１には、ピン１３３を案内するガイドスリット１３４が設けられている。ガイドスリット１３４は、上下方向に延びる直線部１３４ａと、直線部１３４ａの上端から水平方向に屈曲した屈曲部１３４ｂとを有する。ガイドスリット１３４の直線部１３４ａはフック部材１３２の上下方向における移動可能範囲を規制し、屈曲部１３４ｂはフック部材１３２の回動可能範囲を規制している。
【００２５】
フック部材１３２は、図１に示す回動姿勢のとき、すなわちその先端部１３２ｂが足場体１１０の外方に最も大きく張り出している姿勢のとき、ガイドスリット１３４の直線部１３４ａ内にピン１３３が位置している。したがって、フック部材１３２はこの姿勢で上下に移動可能であり、その先端部１３２ｂをルートカーの屋根部に係合離脱させる操作を行うことが可能である。フック部材１３２の先端部１３２ｂは、ルーフトレーやルーフボックスの側壁部、ルーフパイプ等、様々なタイプの屋根部に係合し得る。そして、フック部材１３２を、上限位置に引き上げて収納する向き（図３の例では矢印Ａの向き）に回動させると、ピン１３３が屈曲部１３４ｂ内に入り、屈曲部１３４ｂの底面にピン１３３が係合することにより、フック部材１３２が上限位置にて収納状態に保持される。
【００２６】
足場体１１０には、ホース接続装置１５０が設けられており、その近傍には、散水ホース１４１が巻かれたホースリール１４０が二つ搭載されている。ホース接続装置１５０には、給水源（水道の蛇口等）に接続された給水ホース１６１が接続される一つの入水口１５１と散水ホース１４１が接続される二つの出水口１５２が設けられており、給水ホース１６１を通して送られて来る水がホース接続装置１５０を介して散水ホース１４１に供給されるように構成されている。図４に示すように、ホース接続装置１５０は、Ｔ字管１５５、Ｔ字管１５５の三つの口に各々接続されたカップリング付きL字管（首振り管）１５６、Ｔ字管１５５とL字管１５６との隙間をシールするパッキン１５７、散水ホース１４１及び給水ホース１６１とL字管１５６とを連結するコネクタ１５８、等で構成されている。このホース接続装置１５０は、支持部材１５３を介して足場体１１０の下部に吊設されている。
【００２７】
また、足場体１１０には、デッキブラシを立て状態で安定に保持することができるブラシホルダ（用具保持部）１６０が四箇所に設けられている。
【００２８】
次に、上記のように構成されたこの実施形態の足場装置１００の作用・効果について説明する。
【００２９】
足場装置１００は、キャスター１１３を備えているので、必要なときに洗車場に停車しているルートカーの傍に移動させ、ルートカーに横付けした状態で使用することができる。ルートカーの全長方向に沿って作業者が歩行可能な足場１１１を有しているので、足場１１１上をルートカーの全長方向に移動しながら洗浄作業を行うことができる。足場１１１に乗って作業することで、ルートカーの屋根部の汚れが付着している部分を視認でき、その部分に散水ホース１４１で水をかけながらデッキブラシで擦って洗い流す作業を能率良く行うことができる。階段１２０が足場体１１０の前後に設けられているので、足場体１１０への上り下りを楽に円滑に行うことができる。手摺１１８、１２４付きの柵１１７、１２３を備えているので、階段１２０の上り下りや足場体１１０上での歩行を安全に行うことができる。洗浄作業を開始するに際し、連結装置１３０のフック部材１３２をルートカーの屋根部に係合させることにより、洗浄作業時におけるルートカーの揺れや転倒を防止して安全に作業を行うことができる。
【００３０】
また、この足場装置１００は、連結装置１３０が足場体１１０の左右両側に設けられているので、図２に示すように、同時に2台のルートカーに連結して、洗浄作業を行うことができる。
【００３１】
また、散水ホース１４１が巻かれたホースリール１４０を二つ搭載し、両ホースリール１４０の散水ホース１４１に同時に水を供給できるホース接続装置１５０を備えているので、同時に二人の作業者が各々散水ホース１４１を使用して洗浄作業を行うことができる。
【００３２】
また、ブラシホルダ１６０にデッキブラシを装着しておくことにより、足場装置１００と共にデッキブラシを搬送することができ、必要な時にデッキブラシを使用できる。ブラシホルダ１６０が足場体１１０の四箇所に設けられているので、最大４本のデッキブラシを常時装備することができるので、複数の作業者が作業を行う場合に特に便利である。
【００３３】
なお、上記実施の形態では、用具保持部としてブラシホルダ１６０を備えた装置構成について説明したが、ブラシホルダ１６０に限らず、ノズル、バケツ、等を保持するその他の用具保持部を備えた装置構成とすることも有効である。
【００３４】
また、上記実施の形態では、階段１２０が足場体１１０の前後端両方に設けられているが、少なくとも一方に設けられていればよい。
【図面の簡単な説明】
【００３５】
【図１】本考案に係るルートカー洗浄用足場装置の実施形態例を示す図であり、（ａ）は平面図、（ｂ）は部分側面図、（ｃ）は正面図である。
【図２】図１に示すルートカー洗浄用足場装置の使用状態を例示する概念図である。
【図３】図１中の連結装置の構成を例示する図であり、（ａ）は平面図、（ｂ）は正面図である。
【図４】図１中のホース接続装置の構成を例示する分解図である。
【符号の説明】
【００３６】
１００  ルートカー洗浄用足場装置
１１０  足場体
１１１  足場
１１２  脚
１１３  キャスター
１１７  柵
１１８  手摺
１２０  階段
１２４  手摺
１２３  柵
１３０  連結装置
１３１  支持管
１３２  フック部材
１４０  ホースリール
１４１  散水ホース
１５０  ホース接続装置
１５１  入水口
１５２  出水口
１６０  ブラシホルダ（用具保持部）
１６１  給水ホース
【図１】
0003119744.tif 000003
【図２】
0003119744.tif 000004
【図３】
0003119744.tif 000005
【図４】
0003119744.tif 000006